(57)【要約】  商品陳列フックと、１つ以上の商品を商品陳列フックから押出す及び／または１つ以上の商品を陳列フックに載置するための方法が提供される。商品陳列フックは、陳列固定台上に取り付けられ、１つ以上の商品をその上で受けるように構成される少なくとも１つのロッドを備えてもよい。商品陳列フックは、ロッドの周りに配置され、ロッドの長さに沿って少なくとも部分的に延在する渦巻き線をさらに備えてもよい。渦巻き線は、１つ以上の商品をロッドから押出すための押出し方向及び／または１つ以上の商品をロッドに載置するための反対の載置方向に回転するように構成される。【選択図】図１
2019505250.tif 000002
【特許請求の範囲】
【請求項１】
陳列固定台上に取り付けられ、１つ以上の商品をその上で受けるように構成される少なくとも１つのロッドと、
前記ロッドの周りに配置され、前記ロッドの長さに沿って少なくとも部分的に延在する渦巻き線と、前記ロッドから前記１つ以上の商品を押出すための押出し方向に回転するように構成される渦巻き線と、
前記渦巻き線と動作可能に係合され、第１モードにおいて前記渦巻き線を押出し方向に回転するように構成され、
第２モードにおいて前記渦巻き線を押出し方向に回転させないようにする、前記抗スイープ機構と、を備える、商品陳列フック。
【請求項２】
前記抗スイープ機構は、少なくとも１つの商品を押出すために手動で作動されるように構成されるアクチュエータを備える、請求項１に記載の商品陳列フック。
【請求項３】
前記抗スイープ機構は、少なくとも１つの商品を押出すために自動で作動されるように構成されるアクチュエータを備える、請求項１に記載の商品陳列フック。
【請求項４】
前記抗スイープ機構は、一度に単一の商品を押出すために作動されるように構成されるアクチュエータを備える、請求項１に記載の商品陳列フック。
【請求項５】
前記抗スイープ機構は、少なくとも１つの商品を押出すために直線的に作動されるように構成されるアクチュエータを備える、請求項１に記載の商品陳列フック。
【請求項６】
前記抗スイープ機構は、第３モードにおいて商品を前記ロッドに載置するための載置機構をさらに備える、請求項１に記載の商品陳列フック。
【請求項７】
前記載置機構は、押出し方向に反対の載置方向に前記渦巻き線を回転させるために作動されるように構成される、請求項６に記載の商品陳列フック。
【請求項８】
前記載置機構は、載置方向への前記渦巻き線の回転に応答して、バネに負荷がかかるように構成される、請求項７に記載の商品陳列フック。
【請求項９】
前記バネは、前記渦巻き線が押出し方向に回転するよう付勢するように構成される、請求項８に記載の商品陳列フック。
【請求項１０】
前記載置機構は、直線的に作動されるように構成される、請求項７に記載の商品陳列フック。
【請求項１１】
前記渦巻き線は、前記商品を載置または押出すためにユーザーによって手動で回転させる必要がない、請求項１に記載の商品陳列フック。
【請求項１２】
前記少なくとも１つのロッドは、上部ロッドと下部ロッドを備え、前記渦巻き線は、下部ロッドの周りのみに配置される、請求項１に記載の商品陳列フック。
【請求項１３】
前記ロッドに取り付けられ、前記陳列固定台上に固定されるように構成される基部をさらに備え、前記渦巻き線が前記基部に取り外し可能に取り付けられる、請求項１に記載の商品陳列フック。
【請求項１４】
前記基部から取外し、ならびに前記基部に取り付けられるように、それぞれ構成される異なるサイズの複数の渦巻き線をさらに備える、請求項１３に記載の商品陳列フック。
【請求項１５】
前記抗スイープ機構は、前記渦巻き線を回転させるためのケーブルをさらに備える、請求項１に記載の商品陳列フック。
【請求項１６】
前記ケーブルは、ビーズ状チェーンを備える、請求項１５に記載の商品陳列フック。
【請求項１７】
前記抗スイープ機構は、押出し方向への回転のために前記渦巻き線を付勢するように構成される、請求項１に記載の商品陳列フック。
【請求項１８】
前記少なくとも１つのロッドは、自由端部に上向き部を備え、前記抗スイープ機構は、前記１つ以上の商品が前記自由端部上に支持されるように構成される、前記自由端部上に前記１つ以上の商品を押出すように構成される、請求項１に記載の商品陳列フック。
【請求項１９】
前記抗スイープ機構と動作可能に係合され、前記第２モードにおいて前記渦巻き線を回転させないよう構成される時延機構をさらに備える、請求項１に記載の商品陳列フック。
【請求項２０】
前記抗スイープ機構は、前記第１モードにおいて前記渦巻き線を回転させるために作動されるように構成され、前記時延機構は、前記抗スイープ機構の作動後の所定時間、前記抗スイープ機構を機能させないように構成される、請求項１９に記載の商品陳列フック。
【請求項２１】
商品陳列フックから１つ以上の商品を押出すための方法であって、前記方法は、
商品陳列フックを陳列固定台に固定することであって、前記商品陳列フックは少なくとも１つのロッドと、前記ロッドの少なくとも長さ部分の周りに配置される渦巻き線と、を備え、前記商品陳列フックは前記渦巻き線と動作可能に係合される抗スイープ機構をさらに備える、固定することと、
前記抗スイープ機構が押出し方向に前記渦巻き線を回転させて、第１モードにおいて前記ロッドから少なくとも１つの商品を押出すように、前記抗スイープ機構を作動することであって、前記抗スイープ機構は、第２モードにおいて押出し方向に前記渦巻き線を回転させないようにする、作動すること、とを含む、方法。
【請求項２２】
前記抗スイープ機構を作動させることは、前記陳列フックの前記ロッドから少なくとも１つの商品を押出すための前記抗スイープ機構を手動で作動させることを含む、請求項２１に記載の方法。
【請求項２３】
前記渦巻き線を反対の載置方向に回転させて、第３モードにおいて少なくとも１つの商品を前記ロッドに載置するための、前記抗スイープ機構を作動させることをさらに含む、請求項２１に記載の方法。
【請求項２４】
前記抗スイープ機構を作動させることは、少なくとも１つの商品を前記陳列フック上に載置するための前記抗スイープ機構を手動で作動させることを含む、請求項２３に記載の方法。
【請求項２５】
前記抗スイープ機構を作動させることは、少なくとも１つの商品を前記陳列フック上に載置するための載置機構を手動で引くことを含む、請求項２３に記載の方法。
【請求項２６】
前記渦巻き線を反対の載置方向に回転させるための前記抗スイープ機構を作動させることは、バネに負荷がかかることをもたらす、請求項２３に記載の方法。
【請求項２７】
前記抗スイープ機構を作動させることは、少なくとも１つの商品を前記陳列フックの前記ロッドから押出すためのアクチュエータを手動で引くことを含む、請求項２１に記載の方法。
【請求項２８】
固定することは、前記陳列固定台上に前記商品陳列フックの基部を固定させることを含む、請求項２１に記載の方法。
【請求項２９】
前記抗スイープ機構を作動させることは、前記陳列フックの前記ロッドから少なくとも１つの商品を押出すための前記抗スイープ機構を直線的に作動させることを含む、請求項２１に記載の方法。
【請求項３０】
前記抗スイープ機構を作動させることは、前記抗スイープ機構が押出し方向に前記渦巻き線を回転させるよう付勢するように、前記抗スイープ機構を作動させることを含む、請求項２１に記載の方法。
【請求項３１】
陳列固定台上に取り付けられるように構成される第１端部と、前記第１端部に対向する第２端部とを有する少なくとも１つのロッドと、
前記ロッドの周りに配置され、前記ロッドの長さに沿って少なくとも部分的に延在する渦巻き線と、前記ロッドの前記第２端部から１つ以上の商品を押出すための押出し方向及び／または前記ロッドの前記第２端部上に前記１つ以上の商品を載置させるための反対の載置方向に、回転するように構成される渦巻き線と、
前記ロッド上に前記１つ以上の商品を載置するため、及び／または前記ロッドから前記１つ以上の商品を押出すために直線的に作動されるように構成される抗スイープ機構と、を備える、商品陳列フック。
【請求項３２】
陳列固定台上に取り付けられ、１つ以上の商品をその上で受けるように構成される少なくとも１つのロッドと、
前記ロッドの周りに配置され、前記ロッドの長さに沿って少なくとも部分的に延在する渦巻き線と、
前記渦巻き線に動作可能に係合されるアクチュエータを備える抗スイープ機構であって、
前記アクチュエータの直線的作動に応答して、前記ロッドから前記１つ以上の商品を押出すための前記渦巻き線を回転させるように構成される、抗スイープ機構と、を備える、商品陳列フック。
【請求項３３】
陳列固定台上に取り付けられ、１つ以上の商品をその上で受けるように構成される少なくとも１つのロッドと、
前記ロッドの周りに配置され、前記ロッドの長さに沿って少なくとも部分的に延在する渦巻き線と、
前記渦巻き線と動作可能に係合されるアクチュエータを備える抗スイープ機構であって、
前記アクチュエータと動作可能に係合される時延機構と、を備え、
前記抗スイープ機構は、前記アクチュエータの作動に応答して、前記ロッドから前記１つ以上の商品を押出すための前記渦巻き線を回転させるように構成され、
前記時延機構は、前記アクチュエータの作動後の所定時間、前記アクチュエータを機能させないように構成される、商品陳列フック。
【請求項３４】
１つ以上の商品をその上で受けるように構成される少なくとも１つのロッドと、
前記ロッドに連結され、陳列固定台上に取り付けられるように構成される基部と、
前記ロッドの周りに配置され、前記ロッドの長さに沿って少なくとも部分的に延在する渦巻き線と、前記ロッドから前記１つ以上の商品を押出すための押出し方向に回転するように構成される渦巻き線と、
前記基部内に少なくとも部分的に収容され、前記渦巻き線と動作可能に係合される抗スイープ機構と、を備え、前記抗スイープ機構は、前記ロッドから前記１つ以上の商品を押出すように構成される、商品陳列フック。
【請求項３５】
陳列固定台上に取り付けられ、１つ以上の商品をその上で受けるように構成される少なくとも１つのロッドと、
前記ロッドの周りに配置され、前記ロッドの長さに沿って少なくとも部分的に延在する渦巻き線と、
前記渦巻き線と動作可能に係合されるアクチュエータ及び載置機構を備える抗スイープ機構であって、
前記アクチュエータの作動に応答して、前記ロッドから前記１つ以上の商品を押出し、かつ前記載置機構の作動に応答して、前記ロッド上に前記１つ以上の商品を載置するように構成される、抗スイープ機構と、を備える、商品陳列フック。
【請求項３６】
陳列固定台上に取り付けられ、１つ以上の商品をその上で受けるように構成され、その自由端部に上向き部を有する、少なくとも１つのロッドと、
前記ロッドの周りに配置され、前記ロッドの長さに沿って少なくとも部分的に延在する渦巻き線と、前記ロッドから前記１つ以上の商品を押出すための押出し方向に回転するように構成される渦巻き線と、
前記渦巻き線と動作可能に係合され、それにより前記１つ以上の商品が前記自由端部上に支持されるように構成される、前記自由端部上に前記１つ以上の商品を押出すように構成される、抗スイープ機構と、を備える、商品陳列フック。
【請求項３７】
陳列固定台上に取り付けられ、１つ以上の商品をその上で受けるように構成される少なくとも１つのロッドと、
前記ロッドの周りに配置され、前記ロッドの長さに沿って少なくとも部分的に延在する渦巻き線と、前記ロッドから前記１つ以上の商品を押出すための押出し方向に回転するように構成される渦巻き線と、
前記渦巻き線と動作可能に係合され、前記渦巻き線を押出し方向への回転のために付勢するように構成される抗スイープ機構と、を備える商品陳列フック。
【請求項３８】
陳列固定台上に取り付けられ、１つ以上の商品を渦巻き線から押出すための押出し方向に回転するように構成される渦巻き線と、
前記渦巻き線と動作可能に係合され、第１モードにおいて前記渦巻き線を押出し方向に回転するように構成され、
第２モードにおいて前記渦巻き線を押出し方向に回転させないようにする、前記抗スイープ機構と、を備える、商品陳列フック。
【発明の詳細な説明】
【技術分野】
【０００１】
関連出願の相互参照
本出願は、２０１６年２月２３日出願の米国特許第６２／２９８，７４５号、２０１６年５月１２日出願の米国特許第６２／３３５，２６７号及び２０１６年６月１７日出願の米国特許第６２／３５１，６１９号の利点及びその優先権を主張し、本明細書に参照によってその開示内容全体が組み込まれる。
【０００２】
本発明は、概して、陳列固定台上に商品を陳列するための商品陳列フックに関する。
【背景技術】
【０００３】
商品陳列フックは、小売店等で、商品を陳列するために広く利用されている。典型的には、複数の陳列フックは、従来の薄板壁またはスロット壁、ワイヤクリッド、バーラックまたはペグボード等、一般に垂直方向に延在する陳列固定台上にそれぞれ取り付けられる。複数の陳列フックを陳列固定台上に使用することにより、美しく、整理された陳列領域がもたらされ、来店客が販売員の助けなしに商品を見ることができる。
【発明の概要】
【０００４】
本発明の実施形態は、商品陳列フック、及び１つ以上の商品を商品陳列フックから押出す及び／または１つ以上の商品を陳列フックに載置するための方法を対象とする。１つの実施形態において、商品陳列フックは、陳列固定台上に取り付けられ、１つ以上の商品をその上で受けるように構成される少なくとも１つのロッドと、ロッドの周りに配置され、ロッドの長さに沿って少なくとも部分的に延在する渦巻き線とを備える。渦巻き線は、１つ以上の商品をロッドから押出すための押出し方向に回転するように構成される。商品陳列フックは、渦巻き線と動作可能に係合され、第１モードで渦巻き線を押出し方向に回転するように構成される抗スイープ機構をさらに備え、抗スイープ機構は、第２モードで渦巻き線を押出し方向に回転させないようにする。
【０００５】
別の実施形態において、方法は、商品陳列フックを陳列固定台上に固定することを含む。商品陳列フックは、少なくとも１つのロッドと、ロッドの少なくとも長さ部分の周りに配置される渦巻き線と、渦巻き線と動作可能に係合される抗スイープ機構とをさらに備える。方法は、抗スイープ機構を作動することも含み、抗スイープ機構は、渦巻き線を押出し方向に回転し、第１モードで少なくとも１つの商品をロッドから押出し、抗スイープ機構は、第２モードで渦巻き線を押出し方向に回転させないようにする。
【０００６】
１つの実施形態において、商品陳列フックは、陳列固定台上に取り付けられるように構成される第１端部と第１端部に対向する第２端部とを有する少なくとも１つのロッドと、ロッドの周りに配置され、ロッドの長さに沿って少なくとも部分的に延在する渦巻き線とを備える。渦巻き線は、１つ以上の商品をロッドの第２端部から押出すための押出し方向及び／または１つ以上の商品をロッドの第２端部に載置するための反対の載置方向に回転するように構成される。商品陳列フックは、１つ以上の商品をロッドに載置及び／または１つ以上の商品をロッドから押出すために直線的に作動するように構成される抗スイープ機構も備える。
【０００７】
別の実施形態において、商品陳列フックは、陳列固定台上に取り付けられ、１つ以上の商品をその上で受けるように構成される少なくとも１つのロッド、及びロッドの周りに配置され、ロッドの長さに沿って少なくとも部分的に延在する渦巻き線を備える。さらに商品陳列フックは、渦巻き線と動作可能に係合されるアクチュエータを含む抗スイープ機構を備え、抗スイープ機構は、アクチュエータの直線作動に応答して、１つ以上の商品をロッドから押出すための渦巻き線を回転するように構成される。
【０００８】
１つの実施形態において、商品陳列フックは、陳列固定台上に取り付けられ、１つ以上の商品をその上で受けるように構成される少なくとも１つのロッドと、ロッドの周りに配置され、ロッドの長さに沿って少なくとも部分的に延在する渦巻き線を備える。商品陳列フックは、渦巻き線と動作可能に係合されるアクチュエータを含む抗スイープ機構と、アクチュエータと動作可能に係合される時延機構も備える。抗スイープ機構は、アクチュエータの作動に応答して、１つ以上の商品をロッドから押出すための渦巻き線を回転するように構成され、時延機構は、アクチュエータの直線作動後の所定時間、アクチュエータを機能しないように構成される。
【０００９】
別の実施形態において、商品陳列フックは、１つ以上の商品をその上で受けるように構成される少なくとも１つのロッドと、ロッドに連結され、陳列固定台上に取り付けられるように構成される基部とを備える。商品陳列フックは、ロッドの周りに配置され、ロッドの長さ方向に少なくとも部分的に沿って延在する渦巻き線を備え、渦巻き線は、１つ以上の商品をロッドから押出すための押出し方向及び／または１つ以上の商品をロッドに載置するための反対の載置方向に回転するように構成される。さらに、商品陳列フックは、基部内に少なくとも部分的に収容され、渦巻き線と動作可能に係合される抗スイープ機構を備え、抗スイープ機構は、１つ以上の商品をロッドから押出すように構成される。
【００１０】
１つの実施形態において、商品陳列フックは、陳列固定台上に取り付けられ、１つ以上の商品をその上で受けるように構成される少なくとも１つのロッドと、ロッドの周りに配置され、ロッドの長さに沿って少なくとも部分的に延在する渦巻き線とを備える。商品陳列フックは、各々渦巻き線と動作可能に係合される、アクチュエータと載置機構を含む抗スイープ機構を備え、抗スイープ機構は、アクチュエータの作動に応答して、１つ以上の商品をロッドから押出し、載置機構も作動に応答して、１つ以上の商品をロッドに載置するように構成される。
【００１１】
別の実施形態において、商品陳列フックは、陳列固定台上に取り付けられ、１つ以上の商品をその上で受けるように構成される少なくとも１つのロッドを備え、ロッドは、自由端部に上向き部を有する。商品陳列フックは、ロッドの周りに配置され、ロッドの長さに沿って少なくとも部分的に延在する渦巻き線を備え、渦巻き線は、１つ以上の商品をロッドから押出すための押出し方向に回転するように構成される。商品陳列フックはまた、渦巻き線と動作可能に係合され、それにより１つ以上の商品が自由端部上に支持されるように構成される、自由端部上に１つ以上の商品を押出すように構成される、抗スイープ機構を備える。
【００１２】
１つの実施形態において、商品陳列フックは、陳列固定台上に取り付けられ、１つ以上の商品をその上で受けるように構成される少なくとも１つのロッドと、ロッドの周りに配置され、ロッドの長さに沿って少なくとも部分的に延在する渦巻き線を備える。渦巻き線は、１つ以上の商品をロッドから押出すための押出し方向に回転するように構成される。商品陳列フックは、渦巻き線と動作可能に係合され、渦巻き線を押出し方向に回転するため付勢するように構成される抗スイープ機構も備える。
【００１３】
１つの実施形態において、商品陳列フックは、陳列固定台上に取り付けられ、１つ以上の商品を渦巻き線から押出すための押出し方向に回転するように構成される渦巻き線と、渦巻き線と動作可能に係合され、第１モードで渦巻き線を押出し方向に回転するように構成される抗スイープ機構とを備える。抗スイープ機構は、第２モードで渦巻き線を押出し方向に回転させないようにする。
【図面の簡単な説明】
【００１４】
【図１】図１は、本発明の１つの実施形態に係る陳列固定台上に取り付けられる、陳列フックの斜視図である。
【図２】図２は、本発明の１つの実施形態に係る陳列固定台上に取り付けられる、図１記載の複数の陳列フックの斜視図である。
【図３】図３は、図１記載の陳列フックの別の斜視図である。
【図４】図４は、本発明の１つの実施形態に係る商品を押出すための、図１記載の陳列フックの斜視図である。
【図５】図５は、本発明の１つの実施形態に係る複数の取外し可能な複数の渦巻き線を有する、陳列フックの斜視図である。
【図６】図６は、本発明の１つの実施形態に係る載置機構を有する、図１記載の陳列フックの斜視図である。
【図７】図７は、本発明の１つの実施形態に係るパッケージ差込具の斜視図である。
【図８】図８は、本発明の１つの実施形態に係る陳列フックの側面図である。
【図９】図９は、図８記載の陳列フックの後部の斜視図である。
【図１０】図１０は、本発明の１つの実施形態に係るアンクル脱進器の背面図である。
【図１１】図１１は、図１０記載のアンクル脱進器の上面図である。
【図１２】図１２は、本発明の１つの実施形態に係るパッケージ差込具の斜視図である。
【図１３】図１３は、アクチュエータが弛緩状態にある、図１２記載の陳列フックの上面図である。
【図１４】図１４は、アクチュエータが作動状態にある、図１２記載の陳列フックの拡大上面図である。
【図１５】図１５は、本発明の１つの実施形態に係るケーブルクラッチ機構の背面図である。
【図１６】図１６は、本発明の１つの実施形態に係る陳列フックの斜視図である。
【図１７】図１７は、図１６記載の陳列フックの側面図である。
【図１８】図１８は、本発明の１つの実施形態に係る陳列フックの斜視図である。
【図１９】図１９は、図１８記載の陳列フックの上面図である。
【図２０】図２０は、図１８記載の陳列フックの側面図である。
【図２１】図２１は、図１８記載の陳列フックの基部の背面図である。
【図２２】図２２は、図２１記載の基部の後部の斜視図である。
【図２３】図２３は、本発明の１つの実施形態に係る陳列フックの斜視図である。
【図２４】図２４は、図２３記載の陳列フックの上面図である。
【図２５】図２５は、図２３記載の陳列フックの載置機構の拡大斜視図である。
【図２６】図２６は、図２５記載の載置機構の上部の斜視図である。
【図２７】図２７は、図２３記載の陳列フックの上部ロッドの上面図である。
【図２８】図２８は、図２５記載の載置機構が作動状態にある、側面の斜視図である。
【図２９】図２９は、図２３記載の陳列フックのケーブル駆動機構の背面図である。
【図３０】図３０は、図２９記載のケーブル駆動機構の上部の斜視図である。
【図３１】図３１は、本発明の１つの実施形態に係る陳列フックの斜視図である。
【図３２】図３２は、図３１記載の陳列フックの上面図である。
【図３３】図３３は、図３１記載の陳列フックのケーブル駆動機構の後部の斜視図である。
【図３４】図３４は、本発明の別の実施形態に係る商品陳列フックの背面図である。
【発明を実施するための形態】
【００１５】
添付図面は、ペグボード、薄板壁またはスロット壁、ワイヤクリッドまたはバーラック等の、陳列固定台１０に取り付けるための商品陳列フック２０の１つ以上の実施形態を示す。便宜上、本明細書記載の陳列固定台１０は、従来のペグボードタイプの陳列固定台とし、一般的に「ペグボード」と表記する。陳列フック２０は、本発明の実施形態にしたがって構成される抗スイープ機構４０を備える。抗スイープ機構４０は、商品１２を陳列フック２０から取り外すのに要する時間を増やすために動作可能な一方で、小売店の売場に陳列される陳列フック上に商品を載置（一般的には、「保管」）することも可能である。各商品１２は、陳列フック２０から吊るされ、その他陳列フックから吊るされるセイファまたは箱内に固定される。本明細書に示す通り、商品陳列フック２０は、ペグ式陳列フックでよく、「ペグフック」と表記し、ペグボードへの取り付けに適する。ペグボードは、金属、プラスチック、ボール紙またはプレスボードで典型的に作られ、後述の通り、陳列フック２０の取付構造体を受けるためそれを通して形成される、複数の規則的な間隔で配置する孔１１を有する。いくつかの実施形態において、複数の商品陳列フック２０は、陳列固定台１０に固定されるように構成されてもよい（例：図２を参照）。陳列フック２０が解説や説明の目的で本明細書に記載されるものの、本発明の広い概念が、薄板壁またはスロット壁、ワイヤクリッドまたはバーラック等の異なる型の陳列固定台上に取り付けるための適切な取付構造体で構成される他の型の商品陳列フックに適用可能であることは、当業者には容易に明らかとなるであろう。
【００１６】
図１は、ペグボード等の陳列固定台１０に取り付けられるように構成される陳列フックを有する、本発明の実施形態に係る抗スイープ機構４０を備える陳列フック２０を示す。陳列フック２０は、下部ロッド２４と上部ロッド２６とを備える。「ロッド」という用語を使用することで、下部ロッド２４と上部ロッド２６が、商品１２を受ける、支持する及び／または押出す、及び／または抗スイープ機構４０と協動するように構成される任意の所望の構造でよいため、その意味を限定する意図は有しないことを理解されたい。例えば、上部ロッド２６は、抗スイープ機構４０の部分を収容するように構成される構造体またはハウジングでよい。上部ロッド２６が、アクチュエータ５０及び／または載置機構６０等の抗スイープ機構４０の１つ以上の部品を備える構造体またはハウジングでよい場合が存在する。さらに、いくつかの実施形態において、商品が渦巻き線４２に直接支持されてよいため、下部ロッド２４を形成しなくてよい。
【００１７】
下部ロッド２４の端部は、重力の影響に対して下部ロッドに商品を保持するためやや上向きの自由端部２３を有してもよい。しかし、抗スイープ機構４０は、後述の通り、下部ロッド２４に商品を保持するよう機能するため、下部ロッド２４の自由端部２３が上向きであることは必須ではない。図３〜５記載のいくつかの実施形態において、以下で詳細説明の通り、商品は、自由端部に重力の影響で落下してもよいように、自由端部２３は下部ロッド２４から傾斜角で延在する。陳列フック２０は、ペグボードの面から外側に延在し一般的にその面に垂直であるペグボードに陳列フック２０を取り付けるため、陳列固定台１０を貫通して形成される対応する孔１１と係合するための取付ペグ３５を少なくとも１つ、望ましくは２つ以上を含む取付構造体２５をさらに備えてもよい。例えば、図３４は、取付構造体２５が、陳列固定台１０と係合するように各々構成される複数の取付ペグ３５を備える実施形態を示す。本実施形態において、第１取付構造体が、ファスナまたはロック機構等で、陳列固定台１０に取り付けられるように構成され、その後第２取付構造体が陳列固定台に取り付けられ、第１取付構造体に固定して取り付けられ、その結果、商品陳列フックが、取付構造体の第１取外し構造体なしに陳列固定台から取外しできないように、一対の取付構造体２５を使用してよい。任意のラベルホルダー４６は、陳列フック２０に支持される商品１２に関する、値段等の情報を表示するための上部ロッド２６の前方部分に隣接して作成してもよい。
【００１８】
商品陳列フック２０は、陳列フックを陳列固定台１０にロックまたは固定するための基部３０をさらに備えてもよい。基部３０が、下部ロッド２４と上部ロッド２６に相対的な位置に固定される場合も存在する。１つの実施形態において、基部３０（またはその位置）は、取付構造体２８の取付ペグから離れたロック解除位置と、陳列固定台１０が基部と取付ペグ間で堅く挟まれる取付ペグに隣接するロック位置間の下部ロッド２４上の上部ロッド２６に沿って長さ方向にスライドするように構成されてもよい。他の実施形態において、基部３０は、ペグボードに固定されるアダプターにロックしてもよい。このように、基部３０は、アダプター間でロック及びロック解除されるように構成されてもよい。この位置では、陳列フック２０は、上方に向くよう角度をつけることはできず、取付ペグは、陳列固定台１０の孔１１を貫通して後退して、ペグボードから陳列フック２０を取り外す。基部３０は、基部をロックするためキー（例：マグネット式キー）と協動し、陳列フック２０を前述した通りの方法で、陳列固定台から取り外せるようにするように構成されてもよい。本発明で使用に適する基部とキーは、本明細書にその全体が組み込まれる、２０１３年１月１日公開の米国特許第８，３４１，９８７号で詳細に記載される。
【００１９】
図３〜４に示す通り、抗スイープ機構４０は、基部３０から外部に延在し、下部ロッド２４の長さに沿って少なくとも部分的に延在する渦巻き線４２またはコイルの長さ部分を備える。渦巻き線４２の端部は、下部ロッド２４の自由端部２３に隣接して位置する場合が存在してもよい。渦巻き線４２を第１方向に回転するには、商品を下部ロッド２４から押出すように構成され、その一方で、渦巻き線を反対方向に回転するには、商品を下部ロッドに載置するように構成される。渦巻き線４２のピッチは、下部ロッド２４に支持されるに所望の商品の数や大きさによって変更してもよいことを理解されたい。渦巻き線４２は、ピッチが略一定である従来の「コイルバネ」式の渦巻き線でもよい。本明細書で使用されているように、「ピッチ」を使用する意図は、渦巻き線４２の隣接するコイル上の対応する点の間の軸方向距離を意味することである。しかし、ピッチが可変の渦巻き線は、商品１２が、渦巻き線の全（すなわち、ほぼ３６０度の）回転に応答して、下部ロッド２４に沿って移動する距離を変更するために望ましいものとして使用してよい。明細書に記載されている実施形態において、渦巻き線４２のピッチは、商品１２の包装体または商品を含むセイファの厚さを含むのに十分であり、それによって、陳列フック２０の下部ロッド２４を受ける包装体またはセイファの開口部を狙った万引きを防止するようにしてもよい。このように、万引き犯が、開口部の両側で包装体または陳列固定台を切断し、渦巻き線４２の隣接するコイル間の下部ロッド２４から商品１２を力ずくで取り外しできないようにしてもよい。
【００２０】
いくつかの実施形態において、渦巻き線４２は、ロッド２４及び／または基部３０に取り外し可能に取り付けてもよい。すなわち、渦巻き線４２は、商品陳列フック２０を傷つけることなく、基部３０から取外し可能としてもよい。例えば、図５に示す通り、渦巻き線４２は、基部３０に取り外し可能に取り付けてよい。このように、異なる大きさと構成の渦巻き線４２を使用して、異なる大きさと構成の商品１２または商品の包装体を収容する等をし得る。利点として、各渦巻き線４２は、基部３０間で取外しと取り付けられるように構成されてよく、一方基部は、陳列固定台１０に取り付けられる。各渦巻き線４２は、１つ以上のファスナ及び／または係合特性を介して等、任意の所望の技術を使用して基部３０に取り付け、及び／または基部にロックされる場合が存在してもよい。例えば、図１６に示す通り、渦巻き線４２は、基部３０を貫通して挿入されるように構成されてもよい。本実施形態において、渦巻き線４２の自由端部は、最初に基部３０の裏面を貫通し、その後基部の表面を貫通して挿入され、その後渦巻き線の対向する端部を基部内に設置させるように構成されてもよい。本実施例において、基部３０の端部は、渦巻き線４２の、対応して成形される自由端部を受けるように調整されてもよい。渦巻き線４２が基部３０内に設置される場合、基部に対して回転し、または最初に基部を陳列固定台１０から取り外すことなく取外しすることはできない。
【００２１】
図７記載の１つの実施形態において、パッケージ差込具５２は、商品１２またはその包装体に固定されるように構成してもよい。このように、パッケージ差込具５２は、下部ロッド２４上に受けられ、商品１２まで所望の間隔を維持するように構成される。このように、パッケージ差込具５２を使用すると、包装体が薄いまたは横幅に比して高さが低い場合のある商品間の間隔を長くし得る。
【００２２】
１つの実施形態において、抗スイープ機構４０は、上部ロッド２６に取り付けられるアクチュエータ５０をさらに備える。アクチュエータ５０は、商品を押出すための陳列フック２０の下部ロッド２４に対して回転するよう、渦巻き線４２を作動するために動作可能である。例示される実施形態において、アクチュエータ５０は押しボタンであるが、回転可能なハンドル等の他の機構を使用してもよい。しかし、渦巻き線４２を手動で回転しなくてもよい。アクチュエータ５０を作動すると、下部ロッド２４に単一の商品を押出すための渦巻き線４２を全回転させることになる場合が存在する。
【００２３】
抗スイープ機構４０は、商品を下部ロッド２４に載置するための載置機構６０をさらに備える。載置機構６０は、商品を載置するための陳列フック２０の下部ロッド２４に対して、渦巻き線４２を回転するよう作動するために動作可能である。このように、載置機構６０は、商品を押出すための方向と反対の方向に渦巻き線４２を回転するよう作動するように構成されてもよい。例示される実施形態において、載置機構６０は押しボタンであるが、回転可能なハンドル等の他の機構を使用してもよい。しかし、渦巻き線４２を手動で回転しなくてもよい。載置機構６０を作動すると、下部ロッド２４に単一の商品を押出すための渦巻き線４２を全回転させることになる場合が存在する。
【００２４】
図８〜１１に示す１つの実施形態において、抗スイープ機構４０は、アクチュエータ５０と載置機構６０と動作可能に係合されるアンクル脱進器７０を備える。アンクル脱進器７０が、基部３０内に少なくとも部分的に収容される場合が存在する。このように、渦巻き線４２の駆動機構は、渦巻き線４２の自由端部３２ではなく、基部３０内に設置してもよい。アンクル脱進器７０は、渦巻き線４２に動作可能に連結されるギア機構７２と付勢要素７４（例：コイル状のぜんまい）を備えてもよい。ギア機構７２は、少なくとも１つのギアが載置機構６０に連結され、少なくとも１つのギアがアクチュエータ５０に連結される、複数のギア７５を備えてもよい。例示される実施例において、ギア７５が４枚使用されているが、所望があれば何枚でも構わない。例えば、ギア８０の１枚は、渦巻き線が高速回転しないように、商品１２を押出す時に渦巻き線４２を減衰するために使用してもよい。載置機構６０は、１枚以上のギア７５に連結されてもよく、載置機構を移動するとギアを回転し、付勢要素７４を載置する。アンクル脱進器７０は、渦巻き線４２を載置方向に回転するための載置機構６０と協動するように構成されてもよい。この点に関して、載置機構６０を作動すると、アクチュエータ５０を作動する時、商品を押出すためにその後使用されてもよい付勢要素７４を載置させることになる場合がある。載置機構６０を各々作動すると、渦巻き線４２を全回転させ得る。このように、載置機構６０を各々作動するために、付勢要素７４は、引き続き商品を押出すために載置してもよい。載置機構６０は、付勢要素７４を載置するために（陳列固定台１０から離れて）前方に引かれるように構成され、蓄えられるバネ力はその後、アクチュエータ５０を作動する時、商品を押出すための渦巻き線４２を回転するよう使用されてもよい。載置機構６０は、直線駆動機構７８を介して、ギア８２の１つに連結されてもよく、直線駆動機構の直線運動でギア８２を回転させる。ギア７５が押出し方向に回転し、付勢要素７４を解除するのを防ぐために、クラッチ７６を使ってもよい。このように、付勢要素７４が、１回以上載置機構６０を作動することで載置されるたびに、付勢要素は載置された状態が続き、その後アクチュエータ５０が作動される。付勢要素７４は、下部ロッド２４に載置される各商品１２に十分なエネルギーを保存するように構成されてもよい。このように、バネエネルギーは、下部ロッド２４に各商品１２を載置するため渦巻き線４２を回転するのに十分であり得る。その他、バネエネルギーは、１つの商品を押出すのにも十分である。例えば、アクチュエータ５０または載置機構６０を作動するたびに、バネに負荷がかかり、商品１２を押出すための渦巻き線４２が回転する。他の実施形態において、アクチュエータ５０が作動させて、渦巻き線４２を直接駆動し商品１２を押出してよく、その結果付勢要素７４を使わずにすむ。
【００２５】
アクチュエータ５０は、商品１２を押出すためのアンクル脱進器７０に動作可能に連結されてもよい。例えば、図８に示す通り、下部ロッド２４と渦巻き線４２は、基部３０を末端として、アンクル脱進器７０に動作可能に係合される一方、アクチュエータ５０は、上部ロッド２６とアンクル脱進器と動作可能に係合される。１つの実施形態において、アクチュエータ５０が作動すると、渦巻き線４２と係合されるロッキングシャトル８５の直線運動が起こり、次にロッキングシャトルを渦巻き線から外し、付勢要素７４が載置状態から付勢に移行するため、渦巻き線が、押出し方向（載置方向に反対）に回転可能になる。このように、アクチュエータ５０が直線または非回転の作動をすると、渦巻き線４２が回転し得る。渦巻き線４２の回転軸は、アクチュエータ５０の直線運動の軸に平行であってよい場合がある。渦巻き線４２は、商品１２を押出すために全回転で回転し得る。アクチュエータ５０がバネを介して等で初期位置に戻ると、ロッキングシャトル８５は再び渦巻き線４２に係合する。このように、アンクル脱進器７０は、渦巻き線４２を全回転で回転させないよう制限するように構成され、アクチュエータ５０が作動するたびに商品を１つだけ押出すようにしてもよい。このように、アクチュエータ５０を抑制すると、複数の商品が下部ロッド２４から押出されることはなくなる。
【００２６】
いくつかの実施形態において、抗スイープ機構４０は、最初に所定時間（例：約５秒）（「時間遅延」と表記する場合あり）を待つことなく、連続作動を防止する。このように、たとえ来店客がアクチュエータ５０を所定時間内に複数回押しても、押出される商品は１個のみである。抗スイープ装置４０は、所定時間内でアクチュエータ５０の作動を防ぐ手動停止を備えてもよく、アクチュエータはアンクル脱進器から一時的に切り離されてもよい。
【００２７】
このように、いくつかの実施形態において、抗スイープ機構４０は、商品が押出される（例：アクチュエータ５０を使用する）第１モードや、抗スイープ機構が機能しなくなり、そうでなければそれ以上商品を（例：時間遅延を介して）押出さないようにする第２モード等の異なるモードの操作を容易にする。他の実施形態において、モードを追加して本明細書で記載されるように使用してもよく、商品が載置機構６０を使って載置され得る第３モード等があげられる。
【００２８】
アクチュエータ５０を手動で作動する手法が記載されたものの、アクチュエータは、自動作動させてもよい実施形態が存在することを理解されたい。例えば、商品１２の取り外しには、アクチュエータ５０を自動作動させてもよく、下部ロッド２４に残りの商品を前進させるための渦巻き線４２を回転させることになる。自動作動は、商品の下部ロッド２４からの取り外しに応答して、作動するスイッチまたは他の機構を使って実行し得る。
【００２９】
動作において、抗スイープ機構４０を備える陳列フック２０は、最初に陳列固定台１０に取り付けられる。１つの実施形態において、陳列フック２０は、陳列固定台１０に取り付けられ、基部３０は、陳列フックを陳列固定台１０に固定するためにロックしてよい。第１商品１２はその後、下部ロッド２４の自由端部２３の上に、渦巻き線４２の自由端部３２に隣接して配置される。次に載置機構６０は、下部ロッド２４に第１商品１２を載置するために作動する。例えば、図６に示す通り、載置機構６０は、下部ロッド２４に及び陳列固定台に向けて第１商品１２を前進させる方向に、渦巻き線４２を回転させる陳列固定台１０から離れた方向に移動してもよい。２個目またはそれ以降の商品１２は、前の商品の代わりに、下部ロッドの自由端部２３の上に、渦巻き線４２の自由端部３２に隣接して配置してもよい。商品１２を下部ロッド２４に配置するプロセスは、繰り返しをしてもよく、その後すべての商品は基部３０と渦巻き線４２の自由端部３２間の下部ロッド２４から吊るされる。このように、抗スイープ機構４０は、陳列フック２０の下部ロッド２４に所望の数の商品１２を載置または保管するために動作可能である。
【００３０】
商品１２は、抗スイープ機構４０を操作することで、陳列フック２０の下部ロッド２４から個々に押出すことができる。図４記載の１つの実施形態において、アクチュエータ５０は、下部ロッド２４に沿って商品１２を前進させるために渦巻き線４２を回転させるよう、（例：ボタンを押すことで）作動する。渦巻き線の自由端部３２に最も近い商品１２は、下部ロッド２４の自由端部２３上の渦巻き線４２により前進される。渦巻き線４２が前進させる商品１２は、重力の影響で、自由端部２３上の下部ロッド２４に沿ってスライドしてもよい場合が存在する。商品１２は、自由端部２３上に支持されてもよく、その後来店客は自由端部から商品を取り外す。
【００３１】
図１２〜１４は、本発明の別の実施形態を示す。本実施形態において、商品陳列フック１００は、時延機構１４２を備える（渦巻き線４２と下部ロッド２４は、解説目的では表示しない）。商品陳列フック１００は、上述したアクチュエータ５０に類似するアクチュエータ１５０を備え、アクチュエータは、１つ以上の商品を押出すために押し下げるように構成されてもよい。時延機構１４２は、所定の時間、アクチュエータ１５０を機能させないよう構成されてもよく、それによって、アクチュエータが作動しても、それ以上商品を押出すことがなくなる。本実施形態において、時延機構１４２は、基部３０内等で任意の他の所望の位置で設置されるものの、上部ロッド１２６内に収容される。
【００３２】
図１３は、弛緩状態または押し下げのない状態でのアクチュエータ１５０を示し、一方図１４は、作動状態または押し下げ状態のアクチュエータ１５０を示す。図示の通り、時延機構１４２は、付勢機構１０２（例：定荷重バネ）とダンパー機構１０４を備え、各々可動シャトル１０６またはそり状体に動作可能に連結される。ダンパー機構１０４は、所定の遅延を生じるように構成され、それによって、アクチュエータ１５０は、機能しないようにされ、そうでなければ商品を押出すために作動することができない。本実施形態において、ダンパー機構１０４は、ラック、及び可動シャトル１０６を所定速度で移動可能にするピニオンギアを備える。例えば、ピニオンは、可動シャトル１０６の移動速度を決定する所望の回転速度で回転するように構成されてもよい。
【００３３】
時延機構１４２は、第１係合機構１０８と第２係合機構１１０も備える。第１係合機構１０８は、可動シャトル１０６を弛緩状態で係合するように構成される。アクチュエータ１５０を最初に作動する時、第１係合機構１０８は、可動シャトル１０６に沿って移動する。図１４に記載通り、アクチュエータ１５０が作動して、その最大行程または変位に到達すると、第１係合機構１０８は留め部材１１２と係合し、可動シャトル１０６を（例：カム動作によって）解除する。さらに、第２係合機構１１０は、アクチュエータ１５０と係合することで、アクチュエータが弛緩状態に戻らないようにする。その後付勢機構１０２は、第２係合機構１１０に向けて可動シャトル１０６を付勢する。可動シャトル１０６は、第２係合機構１１０をアクチュエータ１５０から（例：カム動作によって）解除するように構成され、それによってアクチュエータは弛緩状態に戻ることができる。付勢機構１１４（例：バネ）は、弛緩状態に向けてアクチュエータ１５０を付勢するために使用してもよい。このように、第２係合機構１１０がアクチュエータ１５０を解除する時、付勢機構１１４はアクチュエータを弛緩状態に付勢する一方、ダンパー機構１０４は、可動シャトル１０６が初期状態に戻る速度を制御する。
【００３４】
上記記載の通り、本発明の実施形態は、直線運動を回転運動に変換、またはその逆を容易にし得る。例えば、アクチュエータ５０、１５０及び／または載置機構６０の直線作動は、渦巻き線４２を回転させ得る。様々な機構は、例えば、親ねじ、ラックとピニオンギア、ケーブルクラッチまたは駆動装置等をこのように回転させるために使用してもよい。図１５は、基部３０内に少なくとも部分的に収容され得るケーブルクラッチ機構１６０の実施例を示す。このように、上記の通り、渦巻き線４２の駆動機構は、渦巻き線４２の自由端部３２ではなく、基部３０内に配置されてもよい。ケーブルクラッチ機構１６０は、渦巻き線４２と動作可能に係合されてよく、その結果、ケーブル１６２を張ることで渦巻き線を回転させ得る。ケーブル１６２は、アクチュエータ５０、１５０及び／または載置機構６０と動作可能に係合してもよく、任意の所望の構成をとり得る。１つの例において、ケーブル１６２を第１方向に張ると、ケーブルが渦巻き線４２と係合し、第１方向（例：載置方向）に回転させ得る。図１５記載の通り、基部３０は、渦巻き線４２の端部と係合される回転可能部材１６４を備える。このように、ケーブル１６２を張ると、回転可能部材１６４と渦巻き線４２を第１方向に回転させ得る。ケーブル１６２は、滑らかで回転可能部材１６４の周囲の周りで形成される凹部と係合し、またはケーブルは、回転可能部材の外周上に対応する特性と係合するための特性を有し、回転可能部材の回転を容易にしてもよい。回転可能部材１６４は、付勢要素７４と動作可能に係合され得る。上記記載の通り、渦巻き線４２を１方向に回転すると、商品を続いて押出すための付勢要素７４を載置するよう機能し得る。ケーブルクラッチ機構１６０の場合、ケーブル１６２を張ると、回転可能部材１６４が回転し、それによって、付勢要素７４が載置される。上記記載の通り、クラッチ１６６は、回転可能部材１６４が１方向のみに回転できるよう使用してもよく、その後クラッチが解除される。例えば、アクチュエータ５０、１５０が作動すると、クラッチ１６６が回転可能部材１６４から解除されやすくなり、付勢要素７４の付勢により、回転可能部材が反対方向に回転可能になる。
【００３５】
図１６〜１７は、商品陳列フック２００の別の実施形態を示す。商品陳列フック２００は、上記記載の実施形態に類似の特性を有するが、アクチュエータ５０と載置機構６０が様々異なる形式をとり得ることをさらに示している。例えば、載置機構６０は、上部ロッド２６の１部分として形成してもよい。さらに、商品陳列フック２００は、陳列商品に関する値段または他の情報を表示するための下げ札２０２を備える。１つの実施形態において、下げ札２０２は、上部ロッド２６に対して回転するように構成されてもよい。例えば、溝２０４または他のガイド要素または特性は、ロッド２６の外周の周りに少なくとも部分的に形成してもよく、下げ札２０２は、溝の周りに回転するように構成されてもよい。下げ札２０２は、上部ロッド２６の周りの任意の所望の回転位置で所定位置に固定されるように構成されてもよく、小売店の好みの商品または特定の陳列商品を対象としてもよい。
【００３６】
図１８〜２２は、商品陳列フック３００の別の実施形態を示す。アクチュエータ５０、下部ロッド２４と渦巻き線４２を含む、いくつかの要素を解説目的により省略した。上記記載の実施形態に類似する陳列フック３００は、時延機構１４２’を備えてもよい。図２１〜２２は、上記記載のケーブル１６２を受け、それと係合するように構成される基部３０の背面図を示す。本実施形態において、渦巻き線４２の載置及び押出しを容易にするため、クラッチを使用しない。図２２を参照して明らかなように、回転可能部材１６４は、ケーブル１６２と係合するための回転可能部材の外周の周りに少なくとも部分的に配列される複数の係合部材１６５を備える。回転可能部材１６４がギアであってもよい場合が存在する。
【００３７】
図２３〜３０は、商品陳列フック４００の別の実施形態を示す。本実施形態において、載置機構６０は、ケーブル駆動機構４０２と連動して作動するように構成される。ケーブル１６２は、図２７記載の通り、ビーズ状チェーンまたはそれに類するものの形状でよい。上部ロッド２６は、ケーブル１６２をその中に受けるための周囲の周りに少なくとも部分的に形成されるチャネル４０４または凹部を形成してもよい。ケーブル１６２は、チャネル４０４内でスライドするように構成されてもよい。載置機構６０は、商品を載置するために作動する時、ケーブル１６２と係合するように構成される駆動部材４０６を備えてもよい。駆動部材４０６は、ケーブル１６２に対する係合位置と解除位置間で枢動するように構成される。例示される実施形態において、載置機構６０を基部３０から離れるよう、上部ロッド２６の端部に向けて動かすと、駆動部材が枢動またはケーブル１６２（例：図２６と２８を参照）で解除位置（例：図２５を参照）から係合位置まで移動する。ケーブル１６２と係合した状態で載置機構６０を動かすと、回転可能部材１６４を回転する方向にケーブル１６２を張るまたは動かすことになる。載置機構６０は、上部ロッド２６の略長さ分移動するように構成されてもよく、回転可能部材１６４が少なくとも１回全回転し得る場合が存在する。載置機構６０は、ぜんまいまたは時計バネ等の付勢部材４１０で、初期位置に向けて付勢されてもよい。
【００３８】
上記記載の通り、回転可能部材１６４は、ケーブル１６２と係合するように構成される１つ以上の係合部材１６５を備えてもよい。このように、ケーブル１６２を載置方向に動かすと、回転可能部材１６４が回転し、次に付勢部材７４（例：ぜんまい）を載置する。留め部材４０８は、載置機構６０が商品を渦巻き線４２に載置するために作動する時、回転可能部材１６４が１方向にのみ回転できるよう使用してもよい。留め部材４０８は、回転可能部材１６４と係合及びそれを解除するよう移動するように構成される。例えば、留め部材４０８は、回転可能部材が回転する時、回転可能部材１６４と係合及びそれを解除するよう移動し、回転可能部材が全回転を完了または載置機構が別の状況でもはや作動しなくなる時、回転可能部材と再度係合するように構成されてもよい。留め部材４０８は、回転可能部材１６４と係合するため（例：バネによって）付勢されてもよく、その結果、留め部材は、回転可能部材を押出し方向に回転後、回転可能部材と自動で係合する。回転可能部材１６４を載置方向に回転すると、渦巻き線４２は、渦巻き線に商品を載置するよう回転する。アクチュエータ５０は、回転可能部材１６４が付勢部材７４によって反対方向に回転できるよう、留め部材４０８を解除するように構成されてよく、次に渦巻き線４２を押出し方向に回転する。留め部材４０８を解除すると、ケーブル１６２はチャネル４０４内で反対方向に移動可能になる。制動機構５０４は、上記記載のものと類似したものとして使用してよく、その結果、回転可能部材１６４は、商品を押出す時、所望の回転速度で回転し、それによって、渦巻き線４２の回転速度を決定する（例：図３３参照）場合が存在する。様々な機構が、アクチュエータ５０が作動した状態で、回転可能部材１６４の係合及びその解除を容易にするように使用してもよいことを理解されたい。
【００３９】
図３１〜３３は、上記記載の実施形態に類似する陳列フック５００の別の実施形態を示す。本実施形態において、陳列フック５００は、時延機構５４２とケーブル駆動機構５０２を備える。ケーブル駆動機構５０２は、回転可能部材１６４と動作可能に係合されるケーブル１６２を備え、一方回転可能部材は、付勢要素７４（例：定荷重バネ）、緩衝体５０４とギア５０６と動作可能に係合される。アクチュエータ５５０または可動シャトル１０６は、留め部材４０８と係合するように構成される作動機構５０８を有する、またはそれに動作可能に連結され得る。留め部材４０８は、回転可能部材１６４を押出し方向に回転させないように構成され、一方作動機構５０８は、留め部材４０８と解除するように構成され、付勢部材７４により回転可能部材１６４を押出し方向に回転可能にして、次に渦巻き線４２を押出し方向に回転してもよい。本実施例において、緩衝体５０４はギア５０６と連動して、回転可能部材１６４の回転速度を制御してもよい。１つの実施形態において、回転可能部材１６４は、ギア５０６と回転可能に係合するように構成されるギアでもよい。回転可能部材１６４が時計または反時計回りに回転すると、ギア５０６も回転して、緩衝体５０４は、回転可能部材１６４が載置方向に自由に回転できるが、回転可能部材１６４を押出し方向に回転する速度を制限または低減させる一方向の緩衝体でもよい。
【００４０】
陳列フック５００は、時延機構５４２も備える。本実施形態において、時延機構５４２は、アクチュエータ５５０の少なくとも一部分の下に配置され、互いに対してスライドするように構成されてもよい。アクチュエータ５５０と可動シャトル１０６の両方は、上部ロッド２６内に少なくとも部分的に収容され、そうでなければ上部ロッド２６に動作可能に連結され得る。時延機構５４２は、第１係合機構５２０と第２係合機構５２２を備えてもよい。第１係合機構５２０は、アクチュエータ５５０に連結され、一方第２係合機構５２２は、上部ロッド２６の部分を構成してもよい。第２係合機構５２２が固定される場合が存在する。第１係合機構５２０は、アクチュエータ５５０（例：直線作動）の作動に応答して動き、第２係合機構５２２と係合するように構成される。第１係合機構５２０は、フレキシブル構造でよく、カム動作によって第２係合機構５２２と係合するように構成されてもよい。さらに、可動シャトル１０６とアクチュエータ５５０は、最初互いに連結されてよく、アクチュエータ５５０の作動に応答して、アクチュエータ５５０により移動するように構成されてもよい。作動機構５０８は、可動シャトル１０６に連結されてよい。アクチュエータ５５０が完全に作動すると、作動機構５０８は、回転可能部材１６４を解除するように構成されてよく、それによってアクチュエータ５５０をさらに作動できないようにさせて、その後アクチュエータと可動シャトル１０６は、初期の弛緩位置に戻る。作動機構５０８は、留め部材４０８が回転可能部材１６４から解除されてすぐに、アクチュエータ５５０との係合を解除するよう付勢するように構成されてよく、それにより、可動シャトル１０６は、アクチュエータ５５０と独立に移動可能になる。可動シャトル１０６の第３係合特性５２４は、初期の弛緩状態に戻るとすぐに、第１係合部材５２２と係合し、第１係合部材を第２係合部材から（例：カム動作によって）解除するように構成される。付勢機構５１４（例：バネ）は、アクチュエータ５５０を初期の弛緩状態に向けて付勢するように使用してよく、一方１つ以上の付勢機構５１６を追加して、可動シャトル１０６を初期の弛緩状態に付勢するように構成してもよい。このように、第１係合機構５２０が第２係合機構５２２を解除すると、第２係合機構は、第３係合機構５２４と係合し、それによって、可動シャトル１０６を初期の弛緩状態で停止して、一方アクチュエータ５５０は、付勢機構５１４がアクチュエータ５５０を弛緩状態に向けて付勢するため、初期状態に向かって継続して動作し、一方ダンパー機構１０４は、アクチュエータ５５０が初期状態に戻る速度を制御する。いくつかの実施形態において、ダンパー機構１０４は、上部ロッド２６に取り付けられ、したがって、可動シャトル１０６とアクチュエータ５５０に対して固定される。
【００４１】
図３１〜３３は、ケーブル駆動機構５０２に連動して作動するように構成される載置機構５６０の別の実施形態を示す。本実施例において、載置機構５６０は、上部ロッド２６で形成、収容またはそうでなければそれと一体式であって、アクチュエータ５０の端部と基部３０間で配置されてもよい。載置機構５６０は、載置機構が商品を載置するために作動する時、ケーブル１６２と係合するように構成される駆動部材４０６を備えてよい。駆動部材４０６は、ケーブル１６２に対する係合位置と解除位置間で枢動するように構成される。例示される実施形態において、載置機構５６０を基部３０から離れるように、アクチュエータ５５０の端部に向かう方向に手動で移動させると、駆動部材４０６は枢動し、またはケーブル１６２で解除位置から係合位置まで移動する。ケーブル１６２と係合した状態で、載置機構５６０を移動すると、ケーブルと基部３０の回転可能部材間で起こる係合により、回転可能部材１６４を回転する方向にケーブル１６２を張りまたは移動することになる。載置機構５６０は、回転可能部材１６４が少なくとも１回全回転可能な距離を移動するように構成されてよい場合が存在する。載置機構６０は、引張バネ等の付勢部材５１８によって初期位置に向けて付勢してもよい。上記記載の実施形態に類似する載置機構５６０を直線的に作動すると、アクチュエータ５５０が作動する状態で、引き続き商品を押出すために使用されてもよい付勢要素７４を載置することになる。いくつかの実施形態において、載置機構５６０を作動させるたびに、渦巻き線４２が全回転することになり得る。このように、載置機構５６０を一回作動させるには、付勢要素７４は、引き続き押出すために載置してもよい。特に、載置機構５６０は、付勢要素７４を載置するために（ペグボードから離れて）前方に引かれるように構成されてよく、保存されるバネ力は、アクチュエータ５５０が作動する状態で、商品を押出す渦巻き線４２を回転するために引き続き使用してもよい。
【００４２】
前述の記載事項は、本発明に係る抗スイープ機構を備える陳列固定台上に商品を陳列するための商品陳列フックの１つ以上の実施形態を記載した。陳列フックと抗スイープ機構の実施形態の本明細書での記載は、本発明の最良の実施形態を例示及び可能にすることを目的とする。しかし、当業者は、本発明の様々な変更点が、本発明の範囲を逸脱することなく実施可能であることを容易に理解及び評価するであろう。したがって、そのような変更点はすべて、添付の請求項により発明の範囲に含まれることを意図するものとする。
【図１】
2019505250.tif 000003
【図２】
2019505250.tif 000004
【図３】
2019505250.tif 000005
【図４】
2019505250.tif 000006
【図５】
2019505250.tif 000007
【図６】
2019505250.tif 000008
【図７】
2019505250.tif 000009
【図８】
2019505250.tif 000010
【図９】
2019505250.tif 000011
【図１０】
2019505250.tif 000012
【図１１】
2019505250.tif 000013
【図１２】
2019505250.tif 000014
【図１３】
2019505250.tif 000015
【図１４】
2019505250.tif 000016
【図１５】
2019505250.tif 000017
【図１６】
2019505250.tif 000018
【図１７】
2019505250.tif 000019
【図１８】
2019505250.tif 000020
【図１９】
2019505250.tif 000021
【図２０】
2019505250.tif 000022
【図２１】
2019505250.tif 000023
【図２２】
2019505250.tif 000024
【図２３】
2019505250.tif 000025
【図２４】
2019505250.tif 000026
【図２５】
2019505250.tif 000027
【図２６】
2019505250.tif 000028
【図２７】
2019505250.tif 000029
【図２８】
2019505250.tif 000030
【図２９】
2019505250.tif 000031
【図３０】
2019505250.tif 000032
【図３１】
2019505250.tif 000033
【図３２】
2019505250.tif 000034
【図３３】
2019505250.tif 000035
【図３４】
2019505250.tif 000036
【手続補正書】
【提出日】平成29年7月10日(2017.7.10)
【手続補正１】
【補正対象書類名】特許請求の範囲
【補正対象項目名】全文
【補正方法】変更
【補正の内容】
【特許請求の範囲】
【請求項１】
陳列固定台上に取り付けられ、１つ以上の商品をその上で受けるように構成される少なくとも１つのロッドと、
前記ロッドの周りに配置され、前記ロッドの長さに沿って少なくとも部分的に延在する渦巻き線と、前記ロッドから前記１つ以上の商品を押出すための押出し方向に回転するように構成される渦巻き線と、
前記渦巻き線と動作可能に係合され、第１モードにおいて前記渦巻き線を押出し方向に回転するように構成され、
第２モードにおいて前記渦巻き線を押出し方向に回転させないようにする、前記抗スイープ機構と、を備える、商品陳列フック。
【請求項２】
前記抗スイープ機構は、少なくとも１つの商品を押出すために手動で作動されるように構成されるアクチュエータを備える、請求項１に記載の商品陳列フック。
【請求項３】
前記抗スイープ機構は、一度に単一の商品を押出すために作動されるように構成されるアクチュエータを備える、請求項１に記載の商品陳列フック。
【請求項４】
前記抗スイープ機構は、少なくとも１つの商品を押出すために直線的に作動されるように構成されるアクチュエータを備える、請求項１に記載の商品陳列フック。
【請求項５】
前記抗スイープ機構は、第３モードにおいて商品を前記ロッドに載置するための載置機構をさらに備える、請求項１に記載の商品陳列フック。
【請求項６】
前記載置機構は、押出し方向に反対の載置方向に前記渦巻き線を回転させるために作動されるように構成される、請求項５に記載の商品陳列フック。
【請求項７】
前記載置機構は、載置方向への前記渦巻き線の回転に応答して、バネに負荷がかかるように構成される、請求項６に記載の商品陳列フック。
【請求項８】
前記バネは、前記渦巻き線が押出し方向に回転するよう付勢するように構成される、請求項７に記載の商品陳列フック。
【請求項９】
前記載置機構は、直線的に作動されるように構成される、請求項６に記載の商品陳列フック。
【請求項１０】
前記渦巻き線は、前記商品を載置または押出すためにユーザーによって手動で回転させる必要がない、請求項１に記載の商品陳列フック。
【請求項１１】
前記少なくとも１つのロッドは、上部ロッドと下部ロッドを備え、前記渦巻き線は、下部ロッドの周りのみに配置される、請求項１に記載の商品陳列フック。
【請求項１２】
前記ロッドに取り付けられ、前記陳列固定台上に固定されるように構成される基部をさらに備え、前記渦巻き線が前記基部に取り外し可能に取り付けられる、請求項１に記載の商品陳列フック。
【請求項１３】
前記基部から取外し、ならびに前記基部に取り付けられるように、それぞれ構成される異なるサイズの複数の渦巻き線をさらに備える、請求項１２に記載の商品陳列フック。
【請求項１４】
前記抗スイープ機構は、前記渦巻き線を回転させるためのケーブルをさらに備える、請求項１に記載の商品陳列フック。
【請求項１５】
前記抗スイープ機構は、押出し方向への回転のために前記渦巻き線を付勢するように構成される、請求項１に記載の商品陳列フック。
【請求項１６】
前記少なくとも１つのロッドは、自由端部に上向き部を備え、前記抗スイープ機構は、前記１つ以上の商品が前記自由端部上に支持されるように構成される、前記自由端部上に前記１つ以上の商品を押出すように構成される、請求項１に記載の商品陳列フック。
【請求項１７】
前記抗スイープ機構と動作可能に係合され、前記第２モードにおいて前記渦巻き線を回転させないよう構成される時延機構をさらに備える、請求項１に記載の商品陳列フック。
【請求項１８】
前記抗スイープ機構は、前記第１モードにおいて前記渦巻き線を回転させるために作動されるように構成され、前記時延機構は、前記抗スイープ機構の作動後の所定時間、前記抗スイープ機構を機能させないように構成される、請求項１７に記載の商品陳列フック。
【請求項１９】
前記ロッドに連結され、陳列固定台に取り付けられるように構成される基部をさらに備え、前記抗スイープ機構は、前記基部内に少なくとも部分的に収容され、前記渦巻き線と動作可能に係合される、請求項1に記載の商品陳列フック。
【請求項２０】
商品陳列フックから１つ以上の商品を押出すための方法であって、前記方法は、
商品陳列フックを陳列固定台に固定することであって、前記商品陳列フックは少なくとも１つのロッドと、前記ロッドの少なくとも長さ部分の周りに配置される渦巻き線と、を備え、前記商品陳列フックは前記渦巻き線と動作可能に係合される抗スイープ機構をさらに備える、固定することと、
前記抗スイープ機構が押出し方向に前記渦巻き線を回転させて、第１モードにおいて前記ロッドから少なくとも１つの商品を押出すように、前記抗スイープ機構を作動することであって、前記抗スイープ機構は、第２モードにおいて押出し方向に前記渦巻き線を回転させないようにする、作動すること、とを含む、方法。
【請求項２１】
前記抗スイープ機構を作動させることは、前記陳列フックの前記ロッドから少なくとも１つの商品を押出すための前記抗スイープ機構を手動で作動させることを含む、請求項２０に記載の方法。
【請求項２２】
前記渦巻き線を反対の載置方向に回転させて、第３モードにおいて少なくとも１つの商品を前記ロッドに載置するための、前記抗スイープ機構を作動させることをさらに含む、請求項２０に記載の方法。
【請求項２３】
前記抗スイープ機構を作動させることは、少なくとも１つの商品を前記陳列フック上に載置するための前記抗スイープ機構を手動で作動させることを含む、請求項２２に記載の方法。
【請求項２４】
前記抗スイープ機構を作動させることは、少なくとも１つの商品を前記陳列フック上に載置するための載置機構を手動で引くことを含む、請求項２２に記載の方法。
【請求項２５】
前記渦巻き線を反対の載置方向に回転させるための前記抗スイープ機構を作動させることは、バネに負荷がかかることをもたらす、請求項２２に記載の方法。
【請求項２６】
前記抗スイープ機構を作動させることは、少なくとも１つの商品を前記陳列フックの前記ロッドから押出すためのアクチュエータを手動で引くことを含む、請求項２０に記載の方法。
【請求項２７】
固定することは、前記陳列固定台上に前記商品陳列フックの基部を固定させることを含む、請求項２０に記載の方法。
【請求項２８】
前記抗スイープ機構を作動させることは、前記陳列フックの前記ロッドから少なくとも１つの商品を押出すための前記抗スイープ機構を直線的に作動させることを含む、請求項２０に記載の方法。
【請求項２９】
前記抗スイープ機構を作動させることは、前記抗スイープ機構が押出し方向に前記渦巻き線を回転させるよう付勢するように、前記抗スイープ機構を作動させることを含む、請求項２０に記載の方法。
【国際調査報告】
2019505250.tif 000037